(57)【特許請求の範囲】
【請求項１】
複数の区域に設けられている電力負荷と、
前記電力負荷に対して電力を供給する太陽光発電装置と、が接続されている電力線の電圧を調整する電圧調整装置であって、
日射量の値に対する前記電力線の目標電圧値を示す電圧情報が記憶されている記憶装置と、
前記複数の区域夫々における前記電力負荷の電力消費量を重みとした前記複数の区域夫々における日射量の予測値の加重平均値を、前記日射量の値としての日射量予測値として算出する演算装置と、
前記日射量の値としての前記日射量予測値と前記記憶装置に記憶されている前記電圧情報とに基づいて、前記電力線の電圧値が前記日射量予測値に対応する前記目標電圧値に応じた値となるように、前記演算装置によって算出された前記日射量予測値に基づいて、前記電力線の電圧を調整する調整装置と、
を備えたことを特徴とする電圧調整装置。
【請求項２】
前記電圧情報は、１日を所定時間毎に分割した時間帯毎の前記日射量の値に対する前記時間帯毎の前記目標電圧値を示す情報である
ことを特徴とする請求項１に記載の電圧調整装置。
【請求項３】
前記電圧情報は、季節毎に定められている情報である
ことを特徴とする請求項１に記載の電圧調整装置。
【請求項４】
前記電圧情報は、夏及び冬における前記目標電圧値が春及び秋における前記目標電圧値よりも高くなるように定められている情報である
ことを特徴とする請求項３に記載の電圧調整装置。
【請求項５】
前記演算装置は、前記太陽光発電装置が設けられている位置の気象を観測する観測装置の観測結果に基づいて、前記日射量予測値を算出する
ことを特徴とする請求項１に記載の電圧調整装置。
【発明の詳細な説明】
【技術分野】
【０００１】
本発明は、電圧調整装置に関する。
【背景技術】
【０００２】
例えば、電力負荷と太陽光発電装置とが接続されている電力線の電圧を調整する電圧調整装置が知られている（例えば特許文献１）。
【先行技術文献】
【特許文献】
【０００３】
【特許文献１】特開２０１２−１１４９８９号公報
【発明の概要】
【発明が解決しようとする課題】
【０００４】
特許文献１の電圧調整装置は、電力線の電圧値が所定範囲内の電圧値となるように、電力線の電圧を調整している。この電圧調整装置は、電力線の実績電圧値と所定範囲における上限値及び下限値とを比較して、電力線の電圧値が所定範囲を逸脱したときに、当該調整を行っている。このため、例えば電力線の電圧の変化速度が比較的速い場合、電力線の電圧値が所定範囲を比較的大きく逸脱する虞がある。
【課題を解決するための手段】
【０００５】
前述した課題を解決する主たる本発明は、複数の区域に設けられている電力負荷と、前記電力負荷に対して電力を供給する太陽光発電装置と、が接続されている電力線の電圧を調整する電圧調整装置であって、日射量の値に対する前記電力線の目標電圧値を示す電圧情報が記憶されている記憶装置と、前記複数の区域夫々における前記電力負荷の電力消費量を重みとした前記複数の区域夫々における日射量の予測値の加重平均値を、前記日射量の値としての日射量予測値として算出する演算装置と、前記日射量の値としての日射量予測値と前記記憶装置に記憶されている前記電圧情報とに基づいて、前記電力線の電圧値が前記日射量予測値に対応する前記目標電圧値に応じた値となるように、前記演算装置によって算出された前記日射量予測値に基づいて、前記電力線の電圧を調整する調整装置と、を備えたことを特徴とする電圧調整装置である。
【０００６】
本発明の他の特徴については、添付図面及び本明細書の記載により明らかとなる。
【発明の効果】
【０００７】
本発明によれば、電力線の電圧値が日射量予測値に対応する目標電圧値に応じた値となるように、電力線の電圧を調整することができる。
【図面の簡単な説明】
【０００８】
【図１】本発明の実施形態における配電系統を示す図である。
【図２】本発明の実施形態におけるメッシュを示す図である。
【図３】本発明の実施形態における電圧調整装置のハードを示すブロック図である。
【図４】本発明の実施形態における電圧調整装置を示すブロック図である。
【図５】本発明の実施形態における第１整定値テーブルを示す図である。
【図６】本発明の実施形態における第２整定値テーブルを示す図である。
【図７】本発明の実施形態におけるメッシュ毎の負荷量と日射量の予測値とを示す図である。
【図８】本発明の実施形態における計画基準情報を示す図である。
【図９】本発明の実施形態における電圧調整装置の動作を示すフローチャートである。
【発明を実施するための形態】
【０００９】
本明細書および添付図面の記載により、少なくとも以下の事項が明らかとなる。
【００１０】
＝＝＝配電系統＝＝＝
以下、図１を参照して、本実施形態における配電系統について説明する。図１は、本実施形態における配電系統を示す図である。
【００１１】
配電系統１００は、負荷Ｒ１乃至Ｒ４に対して変電所２００からの電力を供給するための電力系統である。配電系統１００は、変電所２００、配電線Ｌ１（電力線）、測定装置Ｍ１、コンデンサ装置３、リアクトル装置４、需要家１１乃至１４、気象情報装置５（観測装置）、電圧調整装置６を有する。尚、需要家は、配電系統１００に複数設けられているが、説明の便宜上、例えば４個設けられていることとする。
【００１２】
変電所２００は、上流側から供給された電力を降圧して、当該降圧された電力を配電線Ｌ１に供給する、例えば配電用変電所である。変電所２００は、配電用変圧器２０１を有する。
【００１３】
配電用変圧器２０１は、例えば一次側の電圧を変圧して、当該変圧された電圧を二次側から出力する装置である。配電用変圧器２０１の変圧比は、第１制御信号Ｓ２に応じたタップの切替により段階的に調整される。つまり、配電用変圧器２０１の二次側の電圧のレベルは、第１制御信号Ｓ２に基づいて調整されることになる。配電用変圧器２０１の二次側は、配電線Ｌ１の一端に接続される。配電用変圧器２０１の一次側は、送電線Ｌ２００の一端に接続される。尚、送電線Ｌ２００は、例えば上流側の一次変電所（不図示）からの６６キロボルトの電圧を、下流側の変電所２００に供給するための送電線である。
【００１４】
配電線Ｌ１は、変電所２００からの電力を需要家１１乃至１４に供給するための電力線であり、上流側の変電所２００から下流側に向かって延びている
需要家１１乃至１４は、配電線Ｌ１０に接続されている。尚、需要家１１乃至１４の詳細については、後述する。
【００１５】
測定装置Ｍ１は、配電線Ｌ１の電圧を測定し、測定結果を示す測定信号Ｓ１を出力する。測定装置Ｍ１は、例えば、変電所２００において配電線Ｌ１の送出端の近傍に設けられる。
【００１６】
コンデンサ装置３は、配電線Ｌ１の電圧を調整するための装置である。コンデンサ装置３は、第２制御信号Ｓ３に応じて投入されたり遮断されたりする電力用コンデンサ（不図示）を有する。
【００１７】
リアクトル装置４は、配電線Ｌ１の電圧を調整するための装置である。リアクトル装置４は、第３制御信号Ｓ４に応じて投入されたり遮断されたりする分路リアクトルを有する。
【００１８】
気象情報装置５は、例えば、気象庁又は気象協会等に設けられ、ＧＰＶ（Ｇｒｉｄ Ｐｏｉｎｔ Ｖａｌｕｅ）データを示す気象信号Ｓ５を出力する装置である。尚、ＧＰＶデータには、例えば、メッシュＮ１乃至Ｎ４夫々における、日射量を示すデータが含まれているものとする。ＧＰＶデータには、過去の日射量の実績値、未来の日射量の予測値が含まれている。日射量の実績値及び予測値は、例えば雲量、風量、風向き等に基づいて気象情報装置５によって算出されることとしてもよい。ＧＰＶデータは、気象情報装置５による発電機Ｇ１乃至Ｇ４が設けられている位置を含むメッシュＮ１乃至Ｎ４の気象の観測結果に基づくデータであることとしてもよい。尚、メッシュＮ１乃至Ｎ４の詳細については、後述する。
【００１９】
電圧調整装置６は、配電系統１００を制御する装置である。電圧調整装置６は、測定信号Ｓ１及び気象信号Ｓ５を受信してこれらの信号に示されている情報に基づいて、第１制御信号Ｓ２、第２制御信号Ｓ３、第３制御信号Ｓ４（「各制御信号」とも称する）を出力する。
【００２０】
＝＝＝メッシュ＝＝＝
以下、図２を参照して、本実施形態におけるメッシュについて説明する。図２は、本実施形態におけるメッシュを示す図である。
【００２１】
メッシュＮ１乃至Ｎ４は、例えば日本列島における中国地方等の所定地域Ｎ１００及び当該所定地域Ｎ１００の周辺を所定の規則に基づいて区画して形成される区域である。メッシュＮ１乃至Ｎ４は、例えば、気象情報装置５から出力される気象信号Ｓ５に示されるＧＰＶデータに対応した区域である。メッシュＮ１乃至Ｎ４は夫々、例えば、５キロメートル四方の略矩形の区域である。尚、メッシュＮ１乃至Ｎ４は夫々、例えば、２０キロメートル四方の略矩形の区域であることとしてもよい。尚、メッシュＮ１乃至Ｎ４には夫々、説明の便宜上、需要家１１乃至１４が設けられていることとする。
【００２２】
＝＝＝需要家＝＝＝
以下、図１を参照して、本実施形態における需要家について説明する。
【００２３】
需要家１１は、メッシュＮ１内に設けられる。需要家１１は、柱上変圧器Ｔｒ１、負荷Ｒ１、発電機Ｇ１を有する。
【００２４】
柱上変圧器Ｔｒ１の一次側は、配電線Ｌ１に接続される。柱上変圧器Ｔｒ１の二次側は、発電機Ｇ１及び負荷Ｒ１に接続される。
【００２５】
負荷Ｒ１は、柱上変圧器Ｔｒ１を介して配電線Ｌ１に接続される電力負荷である。
【００２６】
発電機Ｇ１は、例えば太陽光発電装置等の分散型電源である。発電機Ｇ１は、発電機Ｇ１が設けられている位置の日射量に応じた発電量を発電する。発電機Ｇ１で発電された発電電力は、負荷Ｒ１の電力消費量に応じて、負荷Ｒ１に供給されたり配電線Ｌ１に供給されたりする。
【００２７】
需要家１２、１３、１４は夫々、メッシュＮ２、Ｎ３、Ｎ４内に設けられる。尚、需要家１２乃至１４の構成は夫々、需要家１１の構成と同様である。つまり、柱上変圧器Ｔｒ２、Ｔｒ３、Ｔｒ４の構成は、柱上変圧器Ｔｒ１の構成と同様であり、発電機Ｇ２、Ｇ３、Ｇ４の構成は、発電機Ｇ１の構成と同様であり、負荷Ｒ２、Ｒ３、Ｒ４の構成は、負荷Ｒ１の構成と同様である。
【００２８】
＝＝＝電圧調整装置＝＝＝
以下、図３及び図４を参照して、本実施形態における電圧調整装置について説明する。図３は、本実施形態における電圧調整装置のハードを示すブロック図である。図４は、本実施形態における電圧調整装置を示すブロック図である。
【００２９】
電圧調整装置６は、配電線Ｌ１の電圧を調整するための装置である。電圧調整装置６は、ＣＰＵ（Central Processing Unit）６１、通信装置６２、記憶装置６３、表示装置６４、入力装置６５を有する。ＣＰＵ６１は、記憶装置６３に記憶されているプログラムを実行することにより電圧調整装置６の各種機能を実現し、電圧調整装置６を統括制御する。記憶装置６３には、前述のプログラム、各種情報が記憶されている。尚、各種情報には、気象信号Ｓ５に示されるＧＰＶデータ、測定信号Ｓ１に示されている配電線Ｌ１の電圧値を示す情報が含まれていることとする。表示装置６４は、電圧調整装置６の情報を表示するディスプレイである。入力装置６５は、電圧調整装置６に対して情報を入力するための例えばキーボード、マウス等である。通信装置６２は、ネットワーク６００を介して測定装置Ｍ１、気象情報装置５、タップ切替装置（不図示）との間で通信を行う。通信装置６２は、所定時間毎に測定信号Ｓ１を受信することとする。尚、タップ切替装置は、変電所２００における配電用変圧器２０１のタップの切替を第１制御信号Ｓ２に基づいて行う装置である。
【００３０】
電圧調整装置６は、更に、第１作成部６６、演算部６７（演算装置）、第２作成部６８、制御部６９（「電圧調整装置６の各種機能」とも称する）を有する。尚、電圧調整装置６の各種機能は、記憶装置６３に記憶されているプログラムのＣＰＵ６１による実行により実現される。尚、第２作成部６８及び制御部６９が調整装置に相当する。
【００３１】
第１作成部６６は、記憶装置６３に記憶されている各種情報に基づいて、基準電圧についての第１整定値テーブルＴ１（図５）及び第２整定値テーブルＴ２（図６）を作成する。第１作成部６６は、作成された第１整定値テーブルＴ１及び第２整定値テーブルＴ２を示すテーブル情報（電圧情報）を記憶装置６３に更に記憶させる。演算部６７は、日射量予測値を算出する。第２作成部６８は、記憶装置６３に記憶されているテーブル情報及び演算部６７の演算結果に基づいて、計画基準電圧の値を示す計画基準情報Ｔ３（図８）を作成する。制御部６９は、第２作成部６８の作成結果と、測定装置Ｍ１の測定結果に基づいて、各制御信号を出力する。
【００３２】
＝＝＝第１作成部＝＝＝
以下、図３、図５及び図６を参照して、本実施形態における第１作成部について説明する。図５は、本実施形態における第１整定値テーブルを示す図である。図６は、本実施形態における第２整定値テーブルを示す図である。図５及び図６では、１日における１２時、１３時の日射量と基準電圧との関係が示されており、１２時、１３時以外の時間の日射量と基準電圧との関係については、説明の便宜上、省略されている。
【００３３】
第１作成部６６は、記憶装置６３に記憶されている各種情報に基づいて、第１整定値テーブルＴ１及び第２整定値テーブルＴ２を作成する。第１作成部６６は、季節毎に整定値テーブルを作成する。尚、第１整定値テーブルＴ１は、夏及び冬についての整定値テーブルを示しており、第２整定値テーブルＴ２は、春及び秋についての整定値テーブルを示している。尚、季節毎に異なる整定値テーブルを第１作成部６６が作成することとしてもよいし、全ての季節において同じ整定値テーブルを第１作成部６６が作成することとしてもよい。
【００３４】
＜第１整定値テーブル＞
第１整定値テーブルＴ１においては、１日の各時間における日射量の値と基準電圧の値とが対応付けられている。第１整定値テーブルＴ１においては、例えば１２時の日射量の値が０（ｋＷ）以上０．２（ｋＷ）未満の場合、設定されるべき基準電圧の値が１１２（Ｖ）であることが示されている。又、第１整定値テーブルＴ１においては、例えば１２時の日射量の値が０．２（ｋＷ）以上０．４（ｋＷ）未満の場合、０．４（ｋＷ）以上０．６（ｋＷ）未満の場合、０．６（ｋＷ）以上０．８（ｋＷ）未満の場合、０．８（ｋＷ）以上の場合夫々において、設定されるべき基準電圧の値が１１１（Ｖ）、１１０（Ｖ）、１０８（Ｖ）、１０６（Ｖ）であることが示されている。更に、第１整定値テーブルＴ１においては、例えば１３時の各日射量の値夫々に対して、設定されるべき基準電圧の値が示されている。
【００３５】
＜基準電圧＞
第１整定値テーブルＴ１及び第２整定値テーブルＴ２における基準電圧の値は、配電線Ｌ１の電圧の目標値（「目標電圧値」とも称する）に応じた電圧値である。目標電圧値は、負荷Ｒ１乃至Ｒ４を適正に動作させるための電圧としての例えば９５Ｖ以上１０７Ｖ以下の所定範囲内の電圧値の適正電圧を負荷Ｒ１乃至Ｒ４に供給するための、配電線Ｌ１の電圧値である。目標電圧値は、例えば、柱上変圧器Ｔｒ１乃至Ｔｒ４のタップ区間、負荷Ｒ１乃至Ｒ４の仕様等に基づいて定められることとしてもよい。基準電圧の値は、配電線Ｌ１の目標電圧値を、測定装置Ｍ１に設けられている測定用変圧器（不図示）の変圧比としてのＰＴ比に基づいて換算して定まる値である。つまり、第１整定値テーブルＴ１及び第２整定値テーブルＴ２は、日射量の値に対する配電線Ｌ１の目標電圧値を示している。例えば、測定装置Ｍ１のＰＴ比が６６００（Ｖ）対１１０（Ｖ）とされているとき、配電線Ｌ１の目標電圧値としての６５４０（Ｖ）、６７２０（Ｖ）夫々に対応する基準電圧の値は、１０９（Ｖ）、１１２（Ｖ）になる。
【００３６】
尚、測定装置Ｍ１には、前述の測定用変圧器と、電圧計（不図示）と、演算装置（不図示）とが設けられていることとする。測定用変圧器は、配電線Ｌ１の電圧を前述のＰＴ比に応じて降圧する。電圧計は、測定用変圧器で降圧された後の電圧を測定する。演算装置は、電圧計の測定結果としての電圧値を、ＰＴ比に基づいて測定用変圧器で降圧される前の電圧に対応した電圧値に換算する。測定装置Ｍ１が出力する測定信号Ｓ１には、例えば、電圧計で測定された電圧（「測定用変圧器で降圧された後の電圧」とも称する）の値を示す情報と、測定用変圧器で降圧される前の電圧の値として演算装置によって換算された電圧値を示す情報とが含まれていることとする。
【００３７】
＜第２整定値テーブル＞
第２整定値テーブルＴ２においては、１日の各時間における日射量の値と基準電圧の値とが対応付けられている。第２整定値テーブルＴ２の構成は、第１整定値テーブルＴ１の構成と同様であるので、その説明については省略する。
【００３８】
＜第１及び第２整定値テーブル＞
同じ時間（例えば１２時）において各日射量の値に対する基準電圧の値については、第１整定値テーブルＴ１の方が、第２整定値テーブルＴ２よりも高くなっている。つまり、例えば空調設備の稼動に基づく負荷Ｒ１乃至Ｒ４の電力消費量が比較的多くなる夏及び冬における目標電圧値が、負荷Ｒ１乃至Ｒ４の電力消費量が比較的少なくなる春及び秋の目標電圧値よりも高くなっていることが示されている。従って、負荷Ｒ１乃至Ｒ４の電力消費量に基づく電圧降下幅に応じて配電系統１００を制御することが可能となる。
【００３９】
＜整定値テーブルの作成の一例＞
第１作成部６６は、過去の日射量の実績値と配電線Ｌ１の過去の電圧値との関係を用いた所定のシミュレーションに基づいて、第１整定値テーブルＴ１及び第２整定値テーブルＴ２を作成する。具体的には、例えば、第１作成部６６は、所定の季節において、日射量の実績値が略０（ｋＷ）のときの配電線Ｌ１の電圧値と日射量の実績値が最大値のときの配電線Ｌ１の電圧値との差分値を算出する。第１作成部６６は、この差分値が発電機Ｇ１乃至Ｇ４の発電電力に応じて配電線Ｌ１の電圧値が変動する変動幅であるとみなして、配電線Ｌ１の電圧値が例えば９５Ｖ以上１０７Ｖ以下の所定範囲内の電圧値となるように、第１整定値テーブルＴ１及び第２整定値テーブルＴ２を作成する。
【００４０】
尚、例えば、第１作成部６６は、配電線Ｌ１の過去の電圧値と過去の日射量の実績値との相関等に基づいて、配電線Ｌ１の電圧値が柱上変圧器Ｔｒ１乃至Ｔｒ４のタップ区間に応じて定められた所定範囲内の電圧値となるように、第１整定値テーブルＴ１及び第２整定値テーブルＴ２を作成することとしてもよい。
【００４１】
＝＝＝演算部＝＝＝
以下、図７を参照して、本実施形態における演算部について説明する。図７は、本実施形態におけるメッシュ毎の負荷量と日射量の予測値とを示す図である。
【００４２】
演算部６７は、メッシュＮ１乃至Ｎ４夫々の負荷量Ｗ１１乃至Ｗ１４を重みとしたメッシュＮ１乃至Ｎ４夫々の日射量の予測値Ｃ１１乃至Ｃ１４の加重平均に基づいて、配電系統１００全体の日射量の予測値としての日射量予測値を算出する。具体的には、演算部６７は、式１に基づいて日射量予測値を算出する。  
0005897518.tif 000002
【００４３】
尚、Ｗ１１乃至Ｗ１４は夫々、メッシュＮ１乃至Ｎ４の負荷量（図７）を示し、Ｃ１１乃至Ｃ１４は夫々、ＧＰＶデータにおけるメッシュＮ１乃至Ｎ４の日射量の予測値（図７）を示している。
【００４４】
負荷量Ｗ１１は、メッシュＮ１内に設けられている負荷Ｒ１の電力消費量に応じた量を示している。例えば、負荷量Ｗ１１は、需要家１１と需要家１１に対して電力を販売する電気事業者との間の電気契約に基づいて定められている契約電力量に応じて予め定められていることとしてもよい。又、例えば、負荷量Ｗ１１は、柱上変圧器Ｔｒ１の容量に応じて予め定められていることとしてもよい。又、例えば、負荷量Ｗ１１は、負荷Ｒ１の電力消費量を所定時間毎に測定するスマートメータ等の測定結果に基づいて、演算部６７で算出されることとしてもよい。尚、負荷量Ｗ１２乃至Ｗ１４の構成は、負荷量Ｗ１１の構成と同様であるので、その説明については省略する。
【００４５】
＝＝＝第２作成部＝＝＝
以下、図８を参照して、本実施形態における第２作成部について説明する。図８は、本実施形態における計画基準情報を示す図である。尚、図８においては、未来の日としての計画日の１２時、１３時における基準電圧の値が示されており、１２時、１３時以外の時間における基準電圧の値については、説明の便宜上、省略されている。
【００４６】
第２作成部６８は、記憶装置６３に記憶されているテーブル情報に示されている第１整定値テーブルＴ１及び第２整定値テーブルＴ２、演算部６７で算出された日射量予測値に基づいて、計画基準情報Ｔ３を作成する。計画基準情報Ｔ３は、未来の計画日における時間毎の設定されるべき基準電圧の計画値を示す情報である。
【００４７】
第２作成部６８は、計画日の季節に対応する整定値テーブルと、計画日の日射量予測値に基づいて、計画基準情報Ｔ３を作成する。例えば、計画日が夏であり、計画日の１２時、１３時夫々における日射量予測値が夫々０．３（ｋＷ）、０．７（ｋＷ）と算出された場合、第２作成部６８は、第１整定値テーブルＴ１を参照する。更に、１２時における日射量の値としての日射量予測値である０．３（ｋＷ）は、第１整定値テーブルＴ１における０．２（ｋＷ）以上０．４（ｋＷ）未満に対応しているので、第２作成部６８は、計画日における１２時の設定されるべき計画基準電圧の値を１１１（Ｖ）とする。又、１３時における日射量の値としての日射量予測値である０．７（ｋＷ）は、第１整定値テーブルＴ１の０．６（ｋＷ）以上０．８（ｋＷ）未満に対応しているので、第２作成部６８は、計画日における１３時の設定されるべき計画基準電圧の値を１０９（Ｖ）とする。第２作成部６８は、同様にして、計画日１日における時間毎の設定されるべき計画基準電圧の値を決定し、計画基準情報Ｔ３を作成する。この後、第２作成部６８は、計画基準情報Ｔ３を記憶装置６３に更に記憶させる。
【００４８】
＝＝＝制御部＝＝＝
以下、図８を参照して、本実施形態における制御部について説明する。
【００４９】
制御部６９は、記憶装置６３に記憶されている計画基準情報Ｔ３と、測定信号Ｓ１に示されている配電線Ｌ１の電圧値に基づいて、各制御信号を出力する。制御部６９は、計画基準情報Ｔ３に示されている計画基準電圧の値を、計画日の各時間における基準電圧の値として、計画日における配電系統１００を制御する。
【００５０】
制御部６９は、計画基準情報Ｔ３に示されている計画基準電圧の値と、測定信号Ｓ１に示されている配電線Ｌ１の電圧値とを比較して、各制御信号を出力する。制御部６９は、測定装置Ｍ１における測定用変圧器で降圧された後の電圧の値が計画基準電圧の値となるように、配電系統１００を制御する。つまり、制御部６９は、配電線Ｌ１０の電圧値が計画基準電圧の値に対応する目標電圧値となるように、配電系統１００を制御する。
【００５１】
例えば、測定装置Ｍ１における測定用変圧器で降圧された後の電圧の値が、計画基準電圧の値よりも大きい場合、制御部６９は、配電線Ｌ１の電圧を低下させるための各制御信号を出力する。この場合、配電用変圧器２０１は、配電用変圧器２０１の二次側の電圧のレベルが低下するようにタップの切替が行われる。更に、コンデンサ装置３の電力用コンデンサは、遮断される。更に、リアクトル装置４の分路リアクトルは、投入される。
【００５２】
一方、例えば、測定装置Ｍ１における測定用変圧器で降圧された後の電圧の値が、計画基準電圧の値よりも小さい場合、制御部６９は、配電線Ｌ１の電圧を上昇させるための各制御信号を出力する。この場合、配電用変圧器２０１は、配電用変圧器２０１の二次側の電圧のレベルが上昇するようにタップの切替が行われる。更に、コンデンサ装置３の電力用コンデンサは、投入される。更に、リアクトル装置４の分路リアクトルは、遮断される。
【００５３】
＝＝＝電圧調整装置の動作＝＝＝
以下、図９を参照して、本実施形態における電圧調整装置の動作について説明する。図９は、本実施形態における電圧調整装置の動作を示すフローチャートである。
【００５４】
記憶装置６３に記憶されているプログラムの実行が開始されて、ＣＰＵ６１が電圧調整装置６の統括制御を開始したところから説明する。
【００５５】
電圧調整装置６は、記憶装置６３に記憶されている各種情報に基づいて、第１整定値テーブルＴ１（図５）及び第２整定値テーブルＴ２（図６）を作成し、テーブル情報を記憶装置６３に記憶する（ステップＳｔ１１）。電圧調整装置６は、式１等に基づいて日射量予測値を算出する（ステップＳｔ１２）。電圧調整装置６は、第１整定値テーブルＴ１、第２整定値テーブルＴ２及び日射量予測値に基づいて、計画基準情報Ｔ３作成し、記憶装置６３に記憶する（ステップＳｔ１３）。電圧調整装置６は、計画基準情報Ｔ３と測定信号Ｓ１に示される情報に基づいて、測定装置Ｍ１における測定用変圧器で降圧された後の電圧の値が計画基準電圧の値となるように、配電系統１００を制御する（ステップＳｔ１４）。電圧調整装置６は、この後、動作を終了する。
【００５６】
前述したように、電圧調整装置６は、記憶装置６３、第２作成部６８、制御部６９を有する。電圧調整装置６は、配電線Ｌ１の電圧を調整するための装置である。尚、配電線Ｌ１には、電力負荷としての負荷Ｒ１乃至Ｒ４と、負荷Ｒ１乃至Ｒ４に対して電力を供給する太陽光発電装置としての発電機Ｇ１乃至Ｇ４とが接続されている。記憶装置６３には、第１整定値テーブルＴ１及び第２整定値テーブルＴ２を示すテーブル情報が記憶されている。第１整定値テーブルＴ１及び第２整定値テーブルＴ２は、日射量の値に対する配電線Ｌ１の目標電圧値を示している。第２作成部６８は、日射量の値としての日射量予測値とテーブル情報とに基づいて、計画基準電圧の値を示す計画基準情報Ｔ３を作成する。制御部６９は、計画基準情報Ｔ３に基づいて、配電線Ｌ１の電圧値が日射量予測値に対応する目標電圧値に応じた値となるように、配電線Ｌ１の電圧を調整する。つまり、制御部６９は、日射量の値としての日射量予測値と記憶装置６３に記憶されているテーブル情報とに基づいて、配電線Ｌ１の電圧値が日射量予測値に対応する目標電圧値に応じた値となるように、配電線Ｌ１の電圧を調整する。これらの構成により、配電線Ｌ１の電圧値が日射量予測値に対応する目標電圧値に応じた値となるように、配電線Ｌ１の電圧を調整することができる。従って、電圧値が例えば９５Ｖ以上１０７Ｖ以下となる適正電圧が負荷Ｒ１乃至Ｒ４に対して供給されるように、配電線Ｌ１の電圧を調整することができる。又、配電線Ｌ１の電圧の調整に対して、日射量予測値が反映される。従って、例えば気象の変動に基づく発電機Ｇ１乃至Ｇ４の発電電力の変動を考慮した上で、配電線Ｌ１の電圧を調整することができる。又、配電線Ｌ１の電圧は、日射量予測値が反映された計画に基づいて調整されることになる。従って、例えば、発電機Ｇ１乃至Ｇ４の発電量の変動速度が比較的速ときにおいても、計画に基づいて配電線Ｌ１の電圧を調整することにより、配電線Ｌ１の電圧値を確実に目標電圧値に応じた値にすることができる。
【００５７】
又、演算部６７は、日射量予測値を算出する。第２作成部６８は、演算部６７によって算出された日射量予測値に基づいて、計画基準情報Ｔ３を作成する。制御部６９は、計画基準情報Ｔ３に基づいて、配電線Ｌ１の電圧を調整する。つまり、制御部６９は、演算部６７によって算出された日射量予測値に基づいて、配電線Ｌ１の電圧を調整する。従って、演算部６７による日射量予測値の算出精度を向上させることにより、配電線Ｌ１の電圧値を確実に目標電圧値に応じた値とすることができる。
【００５８】
又、演算部６７は、メッシュＮ１乃至Ｎ４夫々の負荷量Ｗ１１乃至Ｗ１４を重みとしたメッシュＮ１乃至Ｎ４夫々の日射量の予測値Ｃ１１乃至Ｃ１４の加重平均値を日射量予測値として算出する。よって、各メッシュの日射量の予測値の日射量予測値に対する影響度合いが、各負荷量に応じて定められることになる。例えば、負荷量が比較的多いメッシュの影響度合いは、負荷量が比較的少ないメッシュの影響度合いよりも大きくなる。つまり、配電線Ｌ１の電圧値の調整に対して、各メッシュの日射量の予測値と共に負荷量についても反映させることができる。従って、電圧値が例えば９５Ｖ以上１０７Ｖ以下となる適正電圧が負荷Ｒ１乃至Ｒ４に対して供給されるように、配電線Ｌ１の電圧を確実に調整することができる。
【００５９】
又、テーブル情報は、第１整定値テーブルＴ１及び第２整定値テーブルＴ２を示す情報である。第１整定値テーブルＴ１及び第２整定値テーブルＴ２は、１日を所定時間（例えば１時間）毎に分割した時間帯毎の日射量の値に対する当該時間帯毎の目標電圧値を示している。従って、例えば時間帯毎に変動する負荷Ｒ１乃至Ｒ４の電力消費量、及び、発電機Ｇ１乃至Ｇ４の発電量を考慮して、配電線Ｌ１の電圧を調整することができる。
【００６０】
又、テーブル情報は、季節毎に定められている情報である。よって、例えば季節毎に変動する負荷Ｒ１乃至Ｒ４の電力消費量を考慮して、配電線Ｌ１の電圧を調整することができる。
【００６１】
又、テーブル情報は、夏及び冬における基準電圧の値（図５）が春及び秋の基準電圧の値（図６）よりも高くなるように定められている情報である。つまり、テーブル情報は、夏及び冬における目標電圧値が春及び秋の目標電圧値よりも高くなるように定められている情報である。従って、空調設備の可動率の向上に基づいて負荷Ｒ１乃至Ｒ４の電力消費量が比較的多くなる夏及び冬の目標電圧値が、電力消費量が比較的少なくなる春及び秋の目標電圧値よりも高くなる。従って、電圧値が例えば９５Ｖ以上１０７Ｖ以下となる適正電圧が負荷Ｒ１乃至Ｒ４に対して供給されるように、配電線Ｌ１の電圧を確実に調整することができる。
【００６２】
又、演算部６７は、発電機Ｇ１乃至Ｇ４が設けられている位置の気象を観測する気象情報装置５の観測結果に基づいて、日射量予測値を算出する。この構成により、例えばメッシュＮ１乃至Ｎ４の日射量を計測するための日射量計を設ける必要がないので、配電線Ｌ１の電圧を調整するためのコストを低減させることができる。
【００６３】
尚、上記実施形態は、本発明の理解を容易にするためのものであり、本発明を限定して解釈するためのものではない。本発明は、その趣旨を逸脱することなく、変更、改良され得るとともに、本発明にはその等価物も含まれる。
【００６４】
上記実施形態においては、第１整定値テーブルＴ１及び第２整定値テーブルＴ２を第１作成部６６が作成することについて説明したが、これに限定されるものではない。例えば、電圧調整装置６以外の他の装置によって第１整定値テーブルＴ１及び第２整定値テーブルＴ２が作成されて、これらのテーブルを示すテーブル情報が記憶装置６３に記憶されていることとしてもよい。又、例えば、第１整定値テーブルＴ１及び第２整定値テーブルＴ２が配電系統１００の管理者の手計算等に基づいて作成れて、当該管理者の入力装置６５へ情報の入力により、これらのテーブルを示すテーブル情報が記憶装置６３に記憶されることとしてもよい。
【００６５】
又、上記実施形態においては、メッシュＮ１乃至Ｎ４夫々の負荷量Ｗ１１乃至Ｗ１４を重みとしたメッシュＮ１乃至Ｎ４夫々の日射量の予測値Ｃ１１乃至Ｃ１４の加重平均に基づいて、日射量予測値を算出することについて説明したが、これに限定されるものではない。例えば、メッシュＮ１乃至Ｎ４夫々の発電機Ｇ１乃至Ｇ４の例えば発電容量又は発電効率等の発電能力を示す値を重みとしたメッシュＮ１乃至Ｎ４夫々の日射量の予測値Ｃ１１乃至Ｃ１４の加重平均に基づいて、演算部６７が日射量予測値を算出することとしてもよい。この場合、日射量予測値の予測精度を向上させることができる。
【符号の説明】
【００６６】
５                        気象情報装置
６                        電圧調整装置
６３                      記憶装置
６７                      演算部
６８                      第２作成部
６９                      制御部
Ｇ１、Ｇ２、Ｇ３、Ｇ４    発電機
Ｌ１                      配電線
Ｒ１、Ｒ２、Ｒ３、Ｒ４    負荷
【図１】
0005897518.tif 000003
【図２】
0005897518.tif 000004
【図３】
0005897518.tif 000005
【図４】
0005897518.tif 000006
【図５】
0005897518.tif 000007
【図６】
0005897518.tif 000008
【図７】
0005897518.tif 000009
【図８】
0005897518.tif 000010
【図９】
0005897518.tif 000011